(57)【要約】【課題】利便性を向上できる冷水器を備えた冷蔵庫を提供する。【解決手段】貯蔵室３内に配される水タンク１３に連結した取水口３０ａを上部に配した取水部１１を扉３ａの前面に凹設し、取水口３０ａから取水する冷水器１０を備えた冷蔵庫１において、取水部１１内に枢支される枢支軸３４ａを上部に有するとともに押圧して後方に回動させることにより水タンク１３と取水口３０ａとの間の止水を解除するレバー３４と、レバー３４の背面に突出して枢支軸３４ａとレバー３４の下端との間の中央部に配される第１当接部３４ｂと、取水部１１の背壁１１ｂ上に露出する操作部５１を有して背壁１１ｂに沿ってスライド移動するロック部材５０と、ロック部材５０の前面に突出してロック部材５０のスライドによって第１当接部３４ｂに当接する当接位置と該当接位置から退避する退避位置との間を移動する第２当接部５２とを設けた。【選択図】図５
2011089668.tif 000002
【特許請求の範囲】
【請求項１】
貯蔵室内に配される水タンクに連結した取水口を上部に配した取水部を前記貯蔵室の扉の前面に凹設し、前記取水口から前記水タンク内の水を取水する冷水器を備えた冷蔵庫において、前記取水部内に枢支される枢支軸を上部に有するとともに押圧して後方に回動させることにより前記水タンクと前記取水口との間の止水を解除するレバーと、前記レバーの背面に突出して前記枢支軸と前記レバーの下端との間の中央部に配される第１当接部と、前記取水部の背壁上に露出する操作部を有して前記操作部の操作により前記背壁に沿ってスライド移動するロック部材と、前記ロック部材の前面に突出して前記ロック部材のスライドによって第１当接部に対向する当接位置と前記当接位置から退避する退避位置との間を移動する第２当接部とを設けたことを特徴とする冷蔵庫。
【請求項２】
前記背壁を形成して前記操作部及び第２当接部が挿通される第１、第２開口部を有するフレームと、前記フレームの背後に配されて前記扉に充填した断熱材を覆うとともに前記ロック部材を配した凹部を有する枠部とを備え、前記凹部の前面及び前記フレームの背面により前記ロック部材の前後移動を規制したことを特徴とする請求項１に記載の冷蔵庫。
【請求項３】
第１当接部が複数の薄板から成り、第２当接部のスライド方向の幅が第１当接部のスライド方向の幅よりも大きいことを特徴とする請求項１または請求項２に記載の冷蔵庫。
【請求項４】
第２当接部に対してスライド方向に直交する方向に離れた位置で複数の薄板から成る第１当接部を連結する連結部を設けたことを特徴とする請求項３に記載の冷蔵庫。
【請求項５】
前記レバーの背面に上下に延びた複数のリブを水平方向に所定間隔で突設して第１当接部を前記リブから突出して形成するとともに、前記ロック部材が水平方向にスライドし、前記ロック部材を前記退避位置に配して前記レバーを押圧した際に第２当接部が前記リブ間に配されることを特徴とする請求項１〜請求項４のいずれかに記載の冷蔵庫。
【請求項６】
第２当接部は第１当接部との当接面と、前記退避位置から前記当接位置に移動する際に前方となる端面とのコーナーが傾斜面により形成されることを特徴とする請求項１〜請求項５のいずれかに記載の冷蔵庫。
【発明の詳細な説明】
【技術分野】
【０００１】
本発明は、冷水器を備えた冷蔵庫に関する。
【背景技術】
【０００２】
従来の冷蔵庫は特許文献１に開示されている。この冷蔵庫は貯蔵室を開閉する扉の前面から取水する冷水器を備えている。冷水器は扉の背面に配される水タンクと扉の前面に凹設される取水部とを有し、取水部の上部に設けられる取水口が扉を貫通する給水パイプにより水タンクに連結されている。給水パイプには止水弁が設けられ、取水部内には上端が枢支されて回動によって止水弁を開閉するレバーが設けられる。
【０００３】
水タンクに注水して扉を閉じると水タンク内の水が冷却される。使用者が取水口の下方に配したコップ等の容器によってレバーを押圧すると、レバーが回動して止水弁が開かれる。これにより、取水口を介して水タンク内の冷水を容器内に取水することができる。そして、容器をレバーから離すと止水弁が閉じられる。
【先行技術文献】
【特許文献】
【０００４】
【特許文献１】特開平９−２２９５３１号公報（第２頁、第５図）
【発明の概要】
【発明が解決しようとする課題】
【０００５】
しかしながら、上記従来の冷蔵庫によると、幼児等がレバーを手指により押圧すると取水口から流水して水タンクの貯水が減少し、水タンクの注水頻度が高くなる。また、取水口から流下する水が手指に当たって飛散する。従って、冷水器を備えた冷蔵庫の利便性が低下する問題があった。
【０００６】
本発明は、利便性を向上できる冷水器を備えた冷蔵庫を提供することを目的とする。
【課題を解決するための手段】
【０００７】
上記目的を達成するために本発明は、貯蔵室内に配される水タンクに連結した取水口を上部に配した取水部を前記貯蔵室の扉の前面に凹設し、前記取水口から前記水タンク内の水を取水する冷水器を備えた冷蔵庫において、前記取水部内に枢支される枢支軸を上部に有するとともに押圧して後方に回動させることにより前記水タンクと前記取水口との間の止水を解除するレバーと、前記レバーの背面に突出して前記枢支軸と前記レバーの下端との間の中央部に配される第１当接部と、前記取水部の背壁上に露出する操作部を有して前記操作部の操作により前記背壁に沿ってスライド移動するロック部材と、前記ロック部材の前面に突出して前記ロック部材のスライドによって第１当接部に対向する当接位置と前記当接位置から退避する退避位置との間を移動する第２当接部とを設けたことを特徴としている。
【０００８】
この構成によると、水タンク内に注水して扉が閉じられると水タンク内の水が冷却される。取水時には操作部によりロック部材をスライドして第２当接部を退避位置に配置し、取水部に配したコップ等の容器によりレバーが押圧される。これにより、レバーが上部の枢支軸を中心に回動し、取水口から容器内に冷水が取水される。非取水時には操作部によりロック部材をスライドして第２当接部が当接位置に配置される。これにより、レバーを押圧しても第１当接部が第２当接部に当接してレバーの回動が防止され、止水状態が維持される。第１当接部はレバーの枢支軸と下端との間の中央部に配され、下端に配した場合よりも第１、第２当接部の奥行を小さくすることができる。また、第１当接部をレバーの上部に配した場合よりも枢支軸に加わる荷重を小さくすることができる。
【０００９】
また本発明は、上記構成の冷蔵庫において、前記背壁を形成して前記操作部及び第２当接部が挿通される第１、第２開口部を有するフレームと、前記フレームの背後に配されて前記扉に充填した断熱材を覆うとともに前記ロック部材を配した凹部を有する枠部とを備え、前記凹部の前面及び前記フレームの背面により前記ロック部材の前後移動を規制したことを特徴としている。
【００１０】
この構成によると、枠部の凹部にロック部材が配され、ロック部材の前面はフレームにより覆われて第１、第２開口部からそれぞれ操作部及び第２当接部が突出する。第１開口部内で操作部をスライドさせると、ロック部材が凹部の前面及びフレームの背面に摺動して第２当接部が第２開口部内を移動する。
【００１１】
また本発明は、上記構成の冷蔵庫において、第１当接部が複数の薄板から成り、第２当接部のスライド方向の幅が第１当接部のスライド方向の幅よりも大きいことを特徴としている。この構成によると、薄板状の第１当接部によってレバー前面のヒケを低減し、第２当接部の幅を大きくして薄い第１当接部に確実に当接させることができる。また、第１当接部が複数の薄板から成るためレバーの押圧時に複数箇所で第２当接部に当接し、レバーの捩れが抑制される。
【００１２】
また本発明は、上記構成の冷蔵庫において、第２当接部に対してスライド方向に直交する方向に離れた位置で複数の薄板から成る第１当接部を連結する連結部を設けたことを特徴としている。
【００１３】
また本発明は、上記構成の冷蔵庫において、前記レバーの背面に上下に延びた複数のリブを水平方向に所定間隔で突設して第１当接部を前記リブから突出して形成するとともに、前記ロック部材が水平方向にスライドし、前記ロック部材を前記退避位置に配して前記レバーを押圧した際に第２当接部が前記リブ間に配されることを特徴としている。
【００１４】
この構成によると、レバーは上下に延びるリブにより補強され、退避位置でリブ上の第１当接部に対向する位置から水平方向に離れた第２当接部はレバーの押圧によってリブ間に入り込む。
【００１５】
また本発明は、上記構成の冷蔵庫において、第２当接部は第１当接部との当接面と、前記退避位置から前記当接位置に移動する際に前方となる端面とのコーナーが傾斜面により形成されることを特徴としている。この構成によると、レバーの枢支部分の摩耗等によって第２当接部が退避位置の時に第１当接部が第２当接部の前端よりも後方に配された際に、第２当接部を当接位置に移動させると傾斜面が第１当接部に摺動してレバーを前方に押し上げる。
【発明の効果】
【００１６】
本発明によると、レバーの背面に第１当接部を突出して設けるとともに、操作部の操作によって取水部の背壁に沿ってスライドするロック部材に設けた第２当接部が当接位置で第１当接部に対向するので、ロック部材のスライドにより第２当接部を当接位置に配置してレバーの回動を規制することができる。これにより、幼児等がレバーを押圧することによる流水を防止して水タンクの減水や水の飛散を防止することができる。従って、冷水器を備えた冷蔵庫の利便性を向上することができる。
【００１７】
加えて、第１当接部がレバーの枢支軸と下端との間の中央部に配されるため、下端に配した場合よりも第１、第２当接部の突出量を小さくすることができる。これにより、レバーを押圧した際の第１当接部との干渉を回避するスペースを小さくすることができ、扉の断熱厚さを十分確保することができる。また、第１当接部をレバーの上部に配した場合よりも枢支軸に加わる荷重を小さくすることができ、レバーの破損を防止して信頼性を向上することができる。
【図面の簡単な説明】
【００１８】
【図１】本発明の実施形態の冷蔵庫を示す正面図
【図２】本発明の実施形態の冷蔵庫の扉を開いた状態を示す斜視図
【図３】本発明の実施形態の冷蔵庫の扉の要部を示す側面断面図
【図４】本発明の実施形態の冷蔵庫の冷水器の取水部を示す正面図
【図５】本発明の実施形態の冷蔵庫の冷水器の取水部を示す側面断面図
【図６】本発明の実施形態の冷蔵庫の冷水器のレバーを示す背面図
【図７】図６のＣ−Ｃ断面図
【図８】本発明の実施形態の冷蔵庫の冷水器のロック部材を示す正面図
【図９】本発明の実施形態の冷蔵庫の冷水器のロック部材を示す側面図
【図１０】本発明の実施形態の冷蔵庫の冷水器の取水部を示す上面断面図
【図１１】本発明の実施形態の冷蔵庫の冷水器の取水部のロック解除状態を示す側面断面図
【図１２】本発明の実施形態の冷蔵庫の冷水器の取水部のロック解除状態を示す上面断面図
【図１３】図８のＤ−Ｄ断面図
【発明を実施するための形態】
【００１９】
以下に本発明の実施形態を図面を参照して説明する。図１は一実施形態の冷蔵庫を示す正面図である。冷蔵庫１は上部に冷凍室２が配され、冷凍室２の下方に冷蔵室３が配される。冷凍室２及び冷蔵室３の前面はそれぞれ扉２ａ、３ａにより開閉される。冷蔵室３の扉３ａの前面には冷水器１０の取水部１１が凹設される。
【００２０】
図２は冷蔵庫１の扉２ａ、３ａを開いた状態を示す斜視図である。冷蔵室３の扉３ａの背面側には複数のドアポケット４が設けられ、上段には冷水器１０の水タンク１３が配される。
【００２１】
水タンク１３は上面を開口して水を貯水する貯水部１４と貯水部１４の上面を覆う着脱自在の蓋部１５とを有している。蓋部１５を脱着して貯水部１４の清掃を行うことができる。蓋部１５には貯水部１４内に注水する注水口（不図示）が開口し、注水口を開閉する開閉部材１８が取り付けられる。開閉部材１８は扉３ａの幅方向にスライド移動して注水口を開閉する。
【００２２】
図３は扉３ａの要部を示す側面断面図である。扉３ａは前面に配される装飾板３ｂと背面に配される背面板３ｃとの間に発泡断熱材３ｄを充填して形成される。冷水器１０の取水部１１は前面を開口した樹脂成形品の箱状の枠部２１により外枠が形成される。枠部２１を装飾板３ｂに設けた開口に配した状態で発泡断熱材３ｄを充填することにより、枠部２１が固定される。これにより、発泡断熱材３ｄの前面が枠部２１により覆われる。
【００２３】
水タンク１３の貯水部１４の底面には給水口１４ａが設けられる。取水部１１の上部には取水口３０ａを開口するノズル３０が設けられる。ノズル３０はバルブ保持部２４により保持されるバルブ３２の先端に配され、後述するアーム３５（図５参照）により支持される。バルブ保持部２４は後方に突出して扉３ａを貫通するパイプ部２４ａが設けられる。水タンク１３の給水口１４ａとパイプ部２４ａとが給水パイプ１２により接続され、水タンク１３が取水口３０ａに連結される。
【００２４】
扉３ａの背面には給水パイプ１２を覆うパイプカバー１９が設けられる。パイプカバー１９によって給水パイプ１２を隠蔽して冷蔵室３内の美感を向上するとともに、冷蔵室３内から取り出される食品の衝突による給水パイプ１２の脱落を防止する。
【００２５】
また、取水部１１の底部には着脱自在の水受皿４０が配される。水受皿４０によって取水口３０ａから滴下する水滴を回収し、水受皿４０を脱着して排水される。
【００２６】
図４、図５は冷水器１０の取水部１１の詳細を示す正面図及び側面断面図である。枠部２１の前面には樹脂成形品から成るフレーム２２が係合爪（不図示）による係合によって固定される。フレーム２２によって取水部１１の背壁１１ｂが形成される。フレーム２２の上部は開口してレバー保持部２３が枠部２１にネジ止めされる。レバー保持部２３は軸部３４ａを上部に有したレバー３４を枢支する。レバー３４は後述するように下方に延びて形成され、押圧により下部が後方に回動する。
【００２７】
フレーム２２の左右方向の中央には後方に回動したレバー３４との干渉を回避する凹部２２ａが設けられる。枠部２１にはフレーム２２の凹部２２ａの背面側に対向して第１凹部２１ｂが形成される。第１凹部２１ｂの左右方向の中央にはロック部材５０を配置する第２凹部２１ｃが設けられる。
【００２８】
レバー保持部２３はレバー３４の軸部３４ａの上方でアーム３５を枢支する。アーム３５は後端が下方に屈曲した断面Ｌ字状に形成され、レバー３４の軸部３４ａよりも上部に後端面が当接する。アーム３５の前部は前方が開放された平面視コ字状に形成され、ノズル３０の周面に突設した係合突起（不図示）に係合する。
【００２９】
レバー保持部２３の上部にはバルブ保持部２４が前方からネジ止めされる。バルブ保持部２４の背面のパイプ部２４ａはレバー保持部２３及び枠部２１に設けた挿通孔２３ａ、２１ａに挿通され、前述したように扉３ａを貫通する。バルブ保持部２４の前部は下方に屈曲し、先端の開口面にＯリング２６を介してスリーブ２５が螺設される。
【００３０】
スリーブ２５の下部はバルブ保持部２４の下方で縮径された縮径部２５ａを有し、縮径部２５ａにバルブ３２が挿通される。バルブ３２は放射状のリブ（不図示）によって縮径部２５ａ内でリブ間に軸方向の通路を形成し、上端に拡径した鍔部３２ａが形成される。バルブ３２の上端面とバルブ保持部２４の内面との間には圧縮バネ３３が設けられ、バルブ３２が下方に付勢される。これにより、鍔部３２ａが縮径部２５ａの上端面にＯリング３１を介して当接し、水タンク１３からの水を止水する。
【００３１】
レバー３４を後方に押圧するとレバー３４の上部に当接するアーム３５が図中、反時計回りに回動する。これにより、アーム３５に当接するノズル３０が圧縮バネ３３の付勢力に抗してバルブ３２とともに上方に押し上げられ、水タンク１３からの水がノズル３０の取水口３０ａから流出する。
【００３２】
また、バルブ保持部２４を前方からネジ（不図示）を外してバルブ３２やノズル３０と一体に取り外すことができる。これにより、バルブ３２とスリーブ２５間のゴミの除去やＯリング２６、３１の交換を行うことができる。
【００３３】
取水部１１の前面上部にはフレーム２２に取り付けられる前面カバー２７が配される。前面カバー２７はバルブ保持部２４やノズル３０等の前面を覆うとともにノズル３０の下方を覆ってこれらを隠蔽し、取水部１１の美感を向上する。また、前面カバー２７の下面には取水口３０ａに対向する開口部２７ａが形成されている。
【００３４】
取水部１１の背壁１１ｂを形成するフレーム２２の背面部分は水平断面が円弧状で下方が前方に傾斜する傾斜面２２ｂを有している。傾斜面２２ｂは取水部１１の底部から上方に延びてノズル３０の近傍まで形成される。枠部２１は傾斜面２２ｂに沿って傾斜して形成される。このため、取水部１１の背面側の発泡断熱材３ｄの厚みを大きくすることができ、扉３ａの背面側の突出量を削減して断熱厚さを確保することができる。
【００３５】
ノズル３０の取水口３０ａの開口面は後方が下がるように傾斜する。このため、止水時にノズル３０等に残留した水は取水口３０ａの後端から滴下する。傾斜面２２ｂ及びレバー３４の下端は取水口３０ａの後端よりも後方に配される。これにより、取水口３０ａから滴下する水滴が傾斜面２２ｂやレバー３４に当たって飛散することなく、取水部１１の底部に配された水受皿４０（図３参照）に回収される。
【００３６】
図６はレバー３４の背面図を示している。また、図７は図６のＣ−Ｃ断面図を示している。レバー３４は樹脂成形品から成り、上部の側面に突出する軸部３４ａがレバー保持部２３（図５参照）に設けた孔部（不図示）に嵌合して枢支される。レバー３４の下部には軸部３４ａが設けられる上部に対して水平方向に拡幅した押圧部３４ｆが形成される。押圧部３４ｆにコップ等の容器Ｃ（図１１参照）が押圧される。
【００３７】
レバー３４の背面には上下に延びる複数のリブ３４ｄが所定間隔で水平方向に並んで突設される。押圧部３４ｆの上下方向の略中央には水平に延びてリブ３４ｄを連結するリブ３４ｅが突設される。リブ３４ｄ、３４ｅによってレバー３４が補強され、コップ等の容器Ｃ（図１１参照）により押圧されるレバー３４の強度が確保される。
【００３８】
また、リブ３４ｄ、３４ｅはそれぞれ水平方向の幅Ｗ１及び垂直方向の幅Ｗ３が狭い薄板状に形成される。これにより、取水部１１に露出するレバー３４の前面のヒケを防止して美感の低下が防止される。
【００３９】
上下に延びるリブ３４ｄ上には後方に突出する複数の第１当接部３４ｂが水平方向に並設される。第１当接部３４ｂはレバー３４の軸部３４ａと下端との上下方向の間の中央部に配される。また、第１当接部３４ｂはリブ３４ｄと同じ幅Ｗ１の薄板状に形成され、リブ３４ｄと一体に容易に成形できるとともにレバー３４の前面のヒケを防止することができる。
【００４０】
複数の第１当接部３４ｂ間はリブ３４ｅ上に設けられる連結部３４ｃにより連結される。連結部３４ｃによって薄板状の第１当接部３４ｂが補強される。連結部３４ｃはリブ３４ｅと同じ幅Ｗ３の薄板状に形成され、リブ３４ｅと一体に容易に成形できるとともにレバー３４の前面のヒケを防止することができる。
【００４１】
図８、図９はそれぞれロック部材５０の正面図及び側面図を示している。ロック部材５０は樹脂成形品から成り、枠部２１の第２凹部２１ｃ（図５参照）内に配される。ロック部材５０は上下に延びる板状の板状部５３を有し、板状部５３の上下の背面には水平に延びる溝部５０ａ、５０ｂが形成される。
【００４２】
溝部５０ａ、５０ｂは第２凹部２１ｃの背壁に突設されるガイド部２１ｄ、２１ｅ（図５参照）にそれぞれ嵌合する。ロック部材５０はガイド部２１ｄ、２１ｅの案内によって取水部１１の背壁１１ｂに沿って水平方向にスライド移動する。この時、ロック部材５０は第２凹部２１ｃの前面とフレーム２２（図５参照）の背面との間に挟まれて前後移動が規制され、水平方向に円滑に移動することができる。
【００４３】
板状部５３の前面の下端には操作部５１が突設され、上端には第２当接部５２が突設される。操作部５１及び第２当接部５２はフレーム２２に開口した開口部２２ｅ、２２ｆ（図５参照）からそれぞれ突出する。これにより、操作部５１は取水部１１の背壁１１ｂ上に露出する。
【００４４】
操作部５１はレバー３４（図５参照）の下端よりも下方に配され、操作部５１の操作によってロック部材５０をスライド移動させることができる。また、第２当接部５２は第１当接部３４ｂ（図６参照）に対応して複数設けられ、第１当接部３４ｂと同じ高さに配される。第２当接部５２の水平方向の幅Ｗ２は第１当接部３４ｂの幅Ｗ１（図６参照）よりも大きく形成される。
【００４５】
図１０は取水部１１の第１、第２当接部３４ｂ、５２を通る上面断面図を示している。ロック部材５０を第２凹部２１ｃの左右方向の一端の当接位置に配置すると第２当接部５２が第１当接部３４ｂに対向する。これにより、レバー３４を押圧しても第１当接部３４ｂが第２当接部５２に当接してレバー３４がロックされ、バルブ３２の止水状態が維持される。第２当接部５２のスライド方向の幅Ｗ２が第１当接部３４ｂのスライド方向の幅Ｗ１よりも広いため、第１、第２当接部３４ａ、５２を確実に当接させることができる。
【００４６】
操作部５１の操作によってロック部材５０を当接位置からスライドさせると、ロック部材５０は第２凹部２１ｃの左右方向の他端の退避位置に配置される。図１１、図１２はロック部材５０を退避位置に配置してレバー３４を押圧した状態の取水部１１の側面断面図及び上面断面図を示している。
【００４７】
ロック部材５０を退避位置に配置すると、第２当接部５２が第１当接部３４ｂに対向する位置から水平方向に退避する。このため、レバー３４をコップ等の容器Ｃによって押圧すると第１当接部３４ｂが開口部２２ｆに入り込み、第２当接部５２と側面から見て重なる位置に配される。第１当接部３４ｂの連結部３４ｃは第２当接部５２に対してスライド方向に直交する方向に離れた位置に配されるため、連結部３４ｃと第２当接部５２との干渉が回避される。これにより、レバー３４が回動してノズル３０とともにバルブ３２が上昇し、バルブ３２の止水状態が解除される。
【００４８】
この時、レバー３４のリブ３４ｄの高さと第１当接部３４ｂのリブ３４ｄからの突出量との合計はレバー３４のストロークに略一致する。また、第２当接部５２の突出量はレバー３４のストロークに略一致する。これにより、第２当接部５２の先端はリブ３４ｄ間に入り込んでリブ３４ｄの設置面に接近し、第１当接部３４ａの先端はロック部材５０の板状部５３に接近する。
【００４９】
第１当接部３４ｂはレバー３４の軸部３４ａと下端との間の中央部に配されるため、第１当接部３４ｂをレバー３４の下端に配置するよりも第１、第２当接部３４ｂ、５２の突出量を小さくすることができる。これにより、第１当接部３４ｂとの干渉を回避するためのスペースを形成する第２凹部２１ｃの奥行を小さくし、扉３ａの断熱厚さを十分確保することができる。
【００５０】
また、第１当接部３４ｂをレバー３４の上部に配置すると、当接位置でレバー３４を押圧した際にてこの原理によって第１当接部３４ｂを支点として軸部３４ａに大きな荷重が加わる。これにより、レバー３４が破損する危険性がある。このため、第１当接部３４ｂをレバー３４の軸部３４ａと下端との間の中央部に配し、軸部３４ａに加わる荷重を小さくしてレバー３４の破損を防止することができる。
【００５１】
図１３は図８のＤ−Ｄ断面図を示している。第２当接部５２は第１当接部３４ｂとの当接面と、ロック部材５０が退避位置から当接位置にスライドする方向Ｅの前方の端面とのコーナーが傾斜面５２ａに形成される。冷水器１０の長期間の使用によってレバー３４の軸部３４ａが摩耗すると、バルブ３２の止水状態で第１当接部３４ｂの先端が第２当接部５２の先端よりも後方に配される場合がある。
【００５２】
この時、退避位置に配したロック部材５０を当接位置にスライドさせると傾斜面５２ａが第１当接部３４ｂと摺動してレバー３４が前方に押し上げられる。これにより、レバー３４を確実にロックすることができる。
【００５３】
上記構成の冷蔵庫１において、開閉部材１８を開いて注水口から貯水部１４に注水し、開閉部材１８が閉じられる。扉３ａを閉じると貯水部１４内の水が冷却される。ロック部材５０を退避位置に配してコップ等の容器Ｃによりレバー３４を押圧すると、ノズル３０とともにバルブ３２が上昇する。これにより、止水状態が解除され、ノズル３０の取水口３０ａから容器Ｃに水タンク１３内の冷水が供給される。
【００５４】
容器Ｃをレバー３４から離すとバルブ３２が下降して止水される。この時、ノズル３０等に残留する水が取水口３０ａから滴下する。取水口３０ａから滴下する水滴は取水部１１の背面の傾斜面２２ｂやレバー３４に衝突せずに水受皿４０に導かれる。
【００５５】
また、水受皿４０で跳ね返った水滴が傾斜面２２ｂに付着すると傾斜面２２ｂ上を流下して水受皿４０に回収される。水受皿４０に溜まった水は水受皿４０を脱着して排水される。
【００５６】
本実施形態によると、レバー３４の背面に第１当接部３４ｂを突出して設けるとともに、操作部５２の操作によって取水部１１の背壁１１ｂに沿ってスライドするロック部材５０に設けた第２当接部５２が当接位置で第１当接部３４ｂに対向するので、ロック部材５０のスライドにより第２当接部５２を当接位置に配置してレバー３４の回動を規制することができる。これにより、幼児等がレバー３４を押圧することによる流水を防止して水タンク１３の減水や水の飛散を防止することができる。従って、冷水器１０を備えた冷蔵庫１の利便性を向上することができる。
【００５７】
加えて、第１当接部３４ｂがレバー３４の軸部３４ａ（枢支軸）と下端との間の中央部に配されるため、下端に配した場合よりも第１、第２当接部３４ｂ、５２の突出量を小さくすることができる。これにより、レバー３４を押圧した際の第１当接部３４ｂとの干渉を回避するスペースを形成する第２凹部２１ｃの奥行を小さくすることができ、扉３ａの断熱厚さを十分確保することができる。また、第１当接部３４ｂをレバー３４の上部に配した場合よりも軸部３４ａに加わる荷重を小さくすることができ、レバー３４の破損を防止して信頼性を向上することができる。
【００５８】
尚、レバー３４の軸部３４ａ及びレバー保持部２３が十分な強度を有する場合は、第１当接部３４ｂをレバー３４の軸部３４ａと下端との中心よりも上方に配してもよい。これにより、第１、第２当接部３４ｂ、５２の突出量を小さくして扉３ａの断熱厚さをより確保することができる。
【００５９】
また、取水部１１の背壁を形成するフレーム２２に操作部５１及び第２当接部５２が挿通される開口部２２ｅ、２２ｆ（第１、第２開口部）を形成し、フレーム２２の背後に配されて発泡断熱材を覆う枠部２１に設けた第２凹部２１ｃ（凹部）にロック部材５０を配して第２凹部２１ｃの前面及びフレーム２２の背面によりロック部材５０の前後移動を規制したので、ロック部材５０を円滑にスライドさせることができる。従って、冷蔵庫１の利便性をより向上することができる。
【００６０】
また、第１当接部３４ｂが複数の薄板から成り、第２当接部５２のスライド方向の幅Ｗ２が第１当接部３４ｂのスライド方向の幅Ｗ１よりも大きいので、レバー３４の前面のヒケを防止して美感の低下を防止するとともに第１、第２当接部３４ｂ、５２を確実に当接させることができる。また、第１当接部３４ｂを複数設けることにより、当接位置でレバー３４を押圧した際のレバー３４の捩れが防止される。これにより、当接位置における第１当接部３４ｂの第２当接部５２からの脱落を防止することができる。
【００６１】
また、第２当接部５２に対してスライド方向に直交する方向に離れた位置で複数の第１当接部３４ｂを連結する連結部３４ｃを設けたので、薄板から成る第１当接部３４ｂを補強して変形による第２当接部５２からの脱落を防止することができる。また、レバー３４を補強するリブ３４ｅ上に連結部３４ｃを設けたので、連結部３４ｃを容易に成形することができる。
【００６２】
また、レバー３４の背面に上下に延びた複数のリブ３４ｄを水平方向に所定間隔で突設して第１当接部３４ｂをリブ３４ｄから突出して形成し、ロック部材５０を退避位置に配してレバー３４を押圧した際に第２当接部５２がリブ３４ｄ間に配されるので、レバー３４をリブ３４ｄにより補強できるとともに、第１当接部３４ｂの突出量を小さくすることができる。従って、レバー３４を押圧した際の第１当接部３４ｂとの干渉を回避するスペースをより小さくすることができる。
【００６３】
また、第２当接部５２は第１当接部３４ｂとの当接面と、退避位置から当接位置に移動する際に前方となる端面とのコーナーが傾斜面５２ａにより形成されるので、軸部３４ａの摩耗によりレバー３４の位置が前後に変動しても傾斜面５２ａが第１当接部３４ｂに摺動してレバー３４を確実にロックすることができる。
【００６４】
本実施形態において、ロック部材５０の操作部５１をレバー３４の下方に配置しているが、レバー３４の側方に配置してもよい。また、ロック部材５０が水平にスライドして当接位置と退避位置との間を移動するが、取水部１１の背壁１１ｂに沿って鉛直方向や斜め方向にスライド移動してもよい。
【産業上の利用可能性】
【００６５】
本発明によると、冷水器を備えた冷蔵庫に利用することができる。
【符号の説明】
【００６６】
１    冷蔵庫
２    冷凍室
２ａ、３ａ  扉
３    冷蔵室
３ｄ  発泡断熱材
１０    冷水器
１１    取水部
１２    給水パイプ
１３    水タンク
１４    貯水部
１５    蓋部
１８    開閉部材
１９    パイプカバー
２１    枠部
２１ｂ  第１凹部
２１ｃ  第２凹部
２２    フレーム
２２ａ  凹部
２２ｂ  傾斜面
２２ｄ  係合突起
２３    レバー保持部
２４    バルブ保持部
２５    スリーブ
２６、３１  Ｏリング
２７    前面カバー
３０    ノズル
３０ａ  取水口
３２    バルブ
３３    圧縮バネ
３４    レバー
３４ａ  軸部
３４ｂ  第１当接部
３４ｃ  連結部
３４ｄ、３４ｅ  リブ
３５    アーム
４０    水受皿
５０    ロック部材
５１    操作部
５２    第２当接部
５２ａ  傾斜面
５３    板状部
【図１】
2011089668.tif 000003
【図２】
2011089668.tif 000004
【図３】
2011089668.tif 000005
【図４】
2011089668.tif 000006
【図５】
2011089668.tif 000007
【図６】
2011089668.tif 000008
【図７】
2011089668.tif 000009
【図８】
2011089668.tif 000010
【図９】
2011089668.tif 000011
【図１０】
2011089668.tif 000012
【図１１】
2011089668.tif 000013
【図１２】
2011089668.tif 000014
【図１３】
2011089668.tif 000015